(57)【要約】  ヘアトリマー組立体（１０）に隣接する安全かみそり組立体（２０）を含む、電池式グルーミングツールが提供される。どちらの組立体もハウジング（２２、１２）を含む。ハウジングは、分離可能であってもよいし、又は一体形成されてもよい。トリマー組立体は、可動鋸歯状ブレード（６０）に動作可能に接続されたモータ（４０）を含む。モータは１８ｍｍより小さい直径を有し、最大効率は５５％より大きく、出力トルクは最大効率時に０．８ｍＮｍより大きい。グルーミングツールは、２５ｍｍより狭い幅及び８０ｇより少ない質量を有し、このグルーミングツールは、典型的な安全かみそりのユーザにとって人間工学的に使い易いものである。【選択図】図１
2010532220.tif 000002
【特許請求の範囲】
【請求項１】
２５ｍｍより狭い幅を定めるトリマーハウジングと、
前記トリマーハウジング内に配置されたモータと、
前記モータに動作可能に接続された可動ブレードと、
を含み、
前記モータは、１８ｍｍより小さい直径と、５５％より大きい最大効率と、最大効率時に０．８ｍＮｍより大きい出力トルクとを有し、
前記トリマー組立体は、安全かみそりに取り付けるように適合される、ことを特徴とする電池式トリマー組立体。
【請求項２】
前記組立体は、下方ブレードと、垂直力を前記可動ブレードに与えて、通常の使用中に、少なくとも該可動ブレードの鋸歯状部分が前記下方ブレードの鋸歯状部分との滑り接触を維持するように適合されたバネとをさらに含むことを特徴とする、請求項１に記載のトリマー組立体。
【請求項３】
前記バネは板バネであることを特徴とする、請求項２に記載のトリマー組立体。
【請求項４】
前記垂直力は、２Ｎから６．５Ｎまでの間及び約３Ｎの一方であることを特徴とする、請求項２に記載のトリマー組立体。
【請求項５】
前記組立体は、前記安全かみそりに取り外し可能に取り付けられることを特徴とする、請求項２から請求項４のいずれかに記載のトリマー組立体。
【請求項６】
前記トリマーハウジングは、前記安全かみそりのハウジングと一体形成されることを特徴とする、請求項２から請求項４のいずれかに記載のトリマー組立体。
【請求項７】
前記安全かみそりと結合された前記トリマー組立体は、８０ｇより少ない総質量を有することを特徴とする、請求項５又は請求項６に記載のトリマー組立体。
【請求項８】
前記モータは、約１５．５ｍｍの直径と、約６８％の最大効率と、最大効率時に約０．９８ｍＮｍの出力トルクとを有することを特徴とする、請求項２から請求項７のいずれかに記載のトリマー組立体。
【請求項９】
前記トリマー組立体は、トリマー駆動部組立体をさらに含み、前記安全かみそりは、安全かみそりカートリッジ支持組立体を含み、前記安全かみそりカートリッジ支持組立体及び前記トリマー駆動組立体は、前記ハウジングの両端部に配置されることを特徴とする、請求項２から請求項８のいずれかに記載のトリマー組立体。
【発明の詳細な説明】
【技術分野】
【０００１】
本出願は、一般に、グルーミング装置に関し、より特定的には、電動式ヘアトリマーを含む安全かみそりに関する。
【背景技術】
【０００２】
多くの安全かみそりは、人間工学的に、ユーザが楽に把持できる大きさにされた細長い握り手部分を含む。握り手部分は一般的に真っ直ぐであるか又はわずかな曲線を含むことができる。これらの安全かみそりの多くは、どちらも約１０ｍｍから２５ｍｍの範囲の直径を有する円筒形及び／又は隆起部分により囲まれた細長い把持部分を有する。
【０００３】
その開示が全体として引用により本明細書に組み込まれる特許文献１において、電池式モータ駆動のヘアトリマーを含む安全かみそりのハンドルが提供される。前述の出願において開示された装置を含む多くのトリマーは、第２の鋸歯状ブレードに対して前後に動く鋸歯状のブレードを含む。バネは、通常の使用中に、力をこの可動ブレードに加えて、両方のブレードの少なくとも鋸歯状部分が互いに滑り接触を維持するようにして効果的なヘアトリミングを確保する。
【０００４】
前述のタイプの電動式トリマーを始動させるスイッチ又はその他の始動装置の作動時に、モータのトルク要件は、連続運転時のトルク要件と比較すると、瞬間的に相対的に高くなることがある。電動式トリマーが始動するとき、システムの静止摩擦を克服しなければならない。静止摩擦の主な原因の１つは、バネにより力が加えられた状態における第２のブレードに対する可動ブレードの接触である。
【０００５】
対照的に、別の種類のかみそりにおいては、かみそりのハンドルは、偏心分銅を有する電池式モータを備えることができ、この偏心分銅は、振動をかみそりのカートリッジに与え及び伝達して、髭剃りの密接性又は使用中の快適さを改善することができる。このような装置は、Ｍｅｔｃａｌｆ他による特許文献２を含むいくつかの刊行物において開示されている。特許文献２の装置と同様のいわゆる振動型又は振り子型のかみそりのためのモータのトルク要件は、起動時に相対的に低い。振動型かみそりシステムの静止摩擦の主要な原因は、モータベアリングの静止摩擦を含み、これは本質的には低いものである。
【先行技術文献】
【特許文献】
【０００６】
【特許文献１】米国特許出願公開第２００５／０２１７１１５号明細書
【特許文献２】米国特許番号第５，２９９，３５４号明細書
【特許文献３】米国特許出願公開第２００６／００３２０５３号明細書
【特許文献４】米国特許出願公開第２００６／００３２０５５号明細書
【特許文献５】米国特許出願公開第２００６／００３２０５４号明細書
【特許文献６】英国特許出願第２，４１７，００７号明細書
【発明の概要】
【発明が解決しようとする課題】
【０００７】
一般に、相対的に高いトルクを有するモータは、相対的に低いトルクを有するモータより、寸法及び質量が大きい。さらに、相対的に高いトルクを有するモータは、一般に、エネルギー消費がより多い。
【課題を解決するための手段】
【０００８】
本発明は、安全かみそりのユーザにとって人間工学的に使い易いように、多くの安全かみそりと同様な大きさ及び同様な重量を有する安全かみそりに取り付け可能な又はこれと一体的な電動式トリマーを含む電池式グルーミングツールを提供することにより、従来技術の制限をなくす又は少なくとも実質的に軽減することを目的とする。さらに、ユーザが満足できると認める電池寿命をこのようなツールに提供することが望ましい。
【０００９】
１つの態様において、本出願は、電池式トリマー組立体に向けられる。トリマー組立体は、中にモータが配置されたトリマーハウジングを含む。可動ブレードは、動作可能にモータに接続される。モータの最大効率は５５％より大きく、好ましくは約６８％であり、出力トルクは最大効率時に０．８ｍＮｍ（ミリニュートンメートル）より大きく、好ましくは約０．９８ｍＮｍである。モータは、１８ｍｍより小さい直径、好ましくは約１５．５ｍｍの直径を有し、ハウジングは２５ｍｍより狭い幅を有する。トリマー組立体は、安全かみそりに取り付けられるよう適応している。安全かみそりと結合されたトリマー組立体は、８０ｇより少ない総質量を有する。安全かみそりと結合されたトリマー組立体は、安全かみそりのユーザにとって人間工学的に使い易い大きさ及び重量を有する。電池寿命は、ユーザが満足できると認めるものである。
【００１０】
さらに別の態様において、本出願は、グルーミングツールに向けられる。グルーミングツールは、第１の端部に安全かみそりカートリッジ支持組立体を有し、その反対側端部にトリマー駆動部組立体を有するハウジングを有する。トリマー駆動部組立体は、モータと、そのモータに動作可能に接続された可動ブレードとを有する。モータの最大効率は、５５％より大きく、好ましくは約６８％であり、出力トルクは、最大効率時に０．８ｍＮｍより大きく、好ましくは約０．９８ｍＮｍである。モータは、１８ｍｍより小さい直径、好ましくは約１５．５ｍｍの直径を有し、ハウジングは２５ｍｍより狭い幅を有する。グルーミングツールは８０ｇより少ない質量を有する。グルーミングツールは、安全かみそりのユーザにとって人間工学的に使い易い大きさ及び重量を有する。電池寿命は、ユーザが満足できると認めるものである。
【００１１】
本出願の上記の特徴及び利点は、以下の詳細な説明を参照して、添付の図面と併せて読むことにより完全に理解されるであろう。
【図面の簡単な説明】
【００１２】
【図１】安全かみそり組立体と結合された本出願のトリマー組立体の一実施形態の等角図である。
【図２】本出願のグルーミングツールの一実施形態の等角図である。
【図３】図１の線３−３で切った断面図である。
【図３Ａ】図３の一部の拡大図である。
【図４】本出願のモータの直交する端面図である。
【図５】本出願のモータの平面図である。
【図６】本出願のモータの側面図である。
【発明を実施するための形態】
【００１３】
次に図面を、具体的には図１を参照すると、電池式トリマー組立体１０が、安全かみそり組立体２０に取り付けられた図が示されている。トリマー組立体は、良く知られているバイオネット型装置により安全かみそり組立体に取り付けられることが望ましい。トリマー組立体は、細長いハウジング１２を含む。ハウジングは、ハウジングの伸長方向に対して横方向に、ハウジングの左右の寸法として規定される幅Ｗ（図３も参照されたい）を有する。幅Ｗは、トリマー組立体の配向とは無関係に規定される（図３も参照されたい）。その幅は、ユーザによるハウジングの実際の又は知覚される握りを良くするために加えることができるどのような隆起リブ１６も除外したものである。幅は、２５ｍｍより狭いことが好ましく、２３ｍｍより狭いことがより好ましく、２０ｍｍより狭いことが最も好ましい。この様式においては、トリマーハウジングは、安全かみそりのユーザとって、人間工学的に使いづらいということはないであろう。
【００１４】
トリマー組立体はまた、好ましくは、ユーザが選択的に起動したときに、トリマーの動作を開始するように備えられたスイッチ組立体１８を含む。本出願は、採用される動作始動手段に関して限定されるものではなく、さらにこれはユーザによる特定の物理的な動作を要求しないという点で自動とすることもできる。始動手段は、トリマー組立体が水と接触したときに動作を開始する水分センサを含むことができる。典型的な水分センサは、特許文献３において説明されており、それは振動メカニズムを開始するために用いられ、その本質的な内容は、引用により本明細書に組み入れられる。始動手段はまた、トリマー組立体がユーザの肌に対して近接したとき、動作を開始する近接センサを含むこともできる。典型的な近接センサは、特許文献４において説明されており、それは振動メカニズムを開始するために用いられ、その本質的な内容は、引用により本明細書に組み入れられる。センサはまた、装置が格納トレイ（図示せず）から取り外されたときに動作を開始するホール効果センサ又は磁気スイッチ又は傾斜スイッチを含むこともできる。典型的な磁気スイッチは、特許文献５において説明されており、それは振動メカニズムを開始するために用いられ、その本質的な内容は、引用により本明細書に組み入れられる。センサはまた、トリマー組立体が静止しておらず、かつ使用中であるときに動作を開始する運動センサ又は加速度計を含むこともできる。トリマー組立体の動作の終了は、上述のように、いずれかのセンサ信号の取り消しによって行うことができる。本出願のその他の実施形態においては、コントローラ（図示せず）もまた、電池、モータ及び始動手段と電気通信する状態で備えることができる。動作の終了は、例えば所定時間の後に、コントローラによって実行することができる。その本質的な内容が引用により本明細書に組み入れられる、特許文献６は、流体送給システムを有する安全かみそりを開示している。流体送給システムは、ポンプを起動し、例えば０．１秒から２秒後といった特定の起動時間後に、ポンプを停止させる制御装置を含む。
【００１５】
安全かみそり組立体はまた、細長いハウジング２２と、ユーザ操作可能なカートリッジ解放ボタン２６を含むかみそりカートリッジ支持組立体２４と、かみそりカートリッジ２８の受け入れに適応したカートリッジ支持アーム２７とを含む。安全かみそり組立体のハウジングは、前述のような幅を有するが、カートリッジ支持組立体の一部を収容することができる局所的拡大部分２３を含むことができる。好適な支持組立体及びかみそりカートリッジは当該技術分野において良く知られており、本出願ではこれ以上説明しない。トリマー組立体及び安全かみそり組立体の一方又は両方のハウジングはまた、弾性把持パッド１４を含むことができる。
【００１６】
次に図２を参照すると、電池式グルーミングツール３０が示されている。グルーミングツールは、細長いハウジング３２を含む。ハウジングは、前述のような幅を有し、やはり前述のような局所的拡大部分を含むことができる。ハウジング３２は、ハウジングの第１の端部３２Ａに配置された安全かみそりカートリッジ支持組立体３４と、ハウジングの反対側端部３２Ｂに配置されたトリマー駆動部組立体３６とを有する。トリマー駆動部組立体３６はまた、例えば、その開示が全体として引用により本明細書に組み入れられる特許文献１の実施形態で開示されるように、安全かみそりカートリッジ支持組立体３４と同じハウジングの端部に配置されてもよい。
【００１７】
さらに、次に図３及び図３Ａを参照すると、図１のトリマー組立体が断面図（図３）及び拡大部分断面図（図３Ａ）で示されている。トリマー組立体１０は、ハウジング１２を含む。ハウジングは、好ましくは、ＡＢＳ又はポリプロピレン又はダイキャスト亜鉛合金又は当業者に周知の他の好適な材料を射出成形することにより製造される。モータ４０は、少なくとも部分的にハウジング内に配置され、１つ又はそれ以上の電池４６により動力供給される。安全かみそりのユーザにとって人間工学的に使い易い幅を有するハウジングを提供するために、電池は好ましくは単４電池１本であるが、本出願はこの点については限定されるものではなく、単３電池１本、１つ又はそれ以上の単６電池又はいわゆるプリズム電池などの、その他の電池の組み合わせを好適に用いることもできる。電池は使い捨てであってもよいし、又は充電式であってもよい。
【００１８】
モータの出力シャフト４２には、偏心器４４が取り付けられている。偏心器は、本出願において後に説明されるように、良く知られた方法で、可動ブレード又は可動ブレード組立体に前後運動を提供する。下方ブレード５０は鋸歯状の構成を有し、好ましくはネジ５２によってハウジングに取り付けられている。鋸歯状の構成を有する可動ブレード６０は、偏心器を介して動作可能にモータに接続される。可動ブレードは、好ましくはカッター部分７０及び駆動部８０を含むが、単体部品であってもよい。下方ブレード５０及びカッター７０は両方とも、好ましくは４８−５２ＨＲＣまで硬化した４２０級のステンレス鋼から作られる。当業者であれば、別の級の鋼又はステンレス鋼など、その他の材料を、セラミック材料と同様に等しく採用でき、本出願はこの点において限定するものではないことを理解するであろう。駆動部は、好適な熱可塑性樹脂、好ましくはいわゆる工学グレードの材料、最も好ましくはポリアミド６，６を射出成形することによって製造されることが好ましい。この材料は、通常の使用中に偏心器が駆動部と接触して動くとき（本出願において後に説明される）、及び駆動部が板ばねと接触して動くとき(同じく、本出願において後に説明される）の、寸法安定性及びその摩擦特性を含む望ましい特性のゆえに選ばれる。当業者であれば、ポリオキシメチレンなどの別の熱可塑性材料又はリン青銅又は亜鉛アルミニウム合金のような金属材料を用いてもよいことを理解するであろう。
【００１９】
安全かみそりは、通常、湿潤環境で用いることができるものであるため、トリマー組立体、すなわちモータの電気部品の機能に影響を及ぼすことがある水の浸入を防ぐように、特定のシールが設けられている。シールはモータ軸上の軸シール４８を含む。
【００２０】
バネ９０は、通常の使用中に、少なくとも下方ブレード及び可動ブレードの鋸歯状部分が滑り接触を維持するようにバネ力を与えるために提供され、トリマーブレードによる効果的なヘアカットを確保する。バネ力は、好ましくは、可動ブレード及び下方ブレードの鋸歯状部分の接触面に対して垂直方向に、２Ｎから６．５Ｎの範囲、最も好ましくは約３Ｎの力の成分Ｆを有する。バネは好ましくは板バネであり、代理人整理番号第６５７９−０７３１号を有する、同時に出願された米国特許出願連続番号第６０／９３７，７６２号において説明され、その開示は引用により全体が本明細書に組み入れられる。
【００２１】
スイッチ又はその他の始動手段の起動時に、モータ４０のトルク要件は、連続運転のためのトルク要件と比較すると、瞬間的に、相対的に高くなることがある。トリマー組立体が始動されたとき、システムの静止摩擦が克服されなければならない。静止摩擦の主な原因は、軸シール４８及びバネによって与えられた前述の力の下での第２のブレードに対する可動ブレードの接触を含む。モータのエネルギー要求は、前述のトルクを与えるために瞬間的に高くなることがあり、モータ起動電流は２から３Ａｍｐを超える場合があるが、連続運転電流は約７００ｍＡより少ないことが好ましい。このエネルギーは電池によって提供され、高い起動電流は電池寿命を早い時期になくしてしまう場合がある。さらに、起動電流は電池寿命の明らかな損失をもたらすことがあり、すなわち、電池のエネルギー容量は、７００ｍＡは提供できるが、２−３Ａは提供できず、従って装置は仮に運転できても、始動しない。モータが、前述のハウジング内に収容されるような大きさにされ、単４アルカリ電池との好ましい組み合わせで用いられ、結果として十分な電池寿命をもつ十分なトルクを提供するためには、以下のパラメータが好ましい。次に図４乃至図６を参照すると、モータは１８ｍｍより小さい直径Ｄを有し、最も好ましくは約１５．５ｍｍの直径を有する。モータはまた、平面にわたり約１２ｍｍの厚さＴを有し、２３ｇより少ない質量、最も好ましくは約１６ｇ−１７ｇの質量を有する。最大効率は５５％より大きく、最も好ましくは約６８％である。最大効率時の出力トルクは、好ましくは０．８ｍＮｍ（ミリニュートンメートル）より大きく、最も好ましくは約０．９８ｍＮｍである。失速トルクは、好ましくは４．４ｍＮｍより大きく、最も好ましくは約５．０ｍＮｍから約５．６ｍＮｍである。モータは、好ましくは、一方向の回転のトルクが、逆方向の回転のトルクより大きくなるように構成される。加速シミュレーション使用試験が、前述のモータと電池の組み合わせを組み込む装置の電池寿命を評価するために用いられる。単４電池１本により電力供給される装置の電池寿命は、週に一度、一回につき３分の使用をシミュレートする試験において、１３週より長いことが好ましく、２０週より長いことが最も好ましい。
【００２２】
本出願の目的の１つは、安全かみそりのユーザにとって人間工学的に使い易い幅及び重量を有する安全かみそりと結合されたグルーミングツール又はトリマー組立体を提供することである。本出願の別の目的は、ユーザが満足できると認める電池寿命を提供することである。本出願の安全かみそりと結合されたグルーミングツール又はトリマー組立体は、２５ｍｍより狭い幅、８０ｇより少ない質量及び加速シミュレーション使用試験において１３週より長い電池寿命を有する。
【００２３】
本発明は、その例示的な実施形態を参照して説明され示されたが、本発明はそれらの例示的な実施形態に限定されることが意図されるものではない。当業者であれば、以下の特許請求の範囲により定義される本発明の真の範囲から逸脱することなく、変更及び修正がなされ得ることを理解するであろう。例えば、任意の１つの実施形態に関連して開示された特徴は、単独で用いてもよいし、又はそれぞれの他の実施形態の各々の特徴と組み合わせて用いてもよい。
【符号の説明】
【００２４】
１０：電池式トリマー組立体
１２：トリマー組立体ハウジング
１４：弾性把持パッド
１６：リブ
１８：スイッチ組立体
２０：安全かみそり組立体
２２：安全かみそり組立体ハウジング
２３：局所的拡大部分
２４：かみそりカートリッジ支持組立体
２６：ユーザ操作可能カートリッジ解放ボタン
２７：カートリッジ支持アーム
２８：かみそりカートリッジ
３０：電池式グルーミングツール
３２：グルーミングツールハウジング
３２Ａ：第１の端部
３２Ｂ：反対側端部
３４：安全かみそりカートリッジ支持組立体
３６：トリマー駆動部組立体
４０：モータ
４２：出力シャフト
４４：偏心器
４６：電池
４８：軸シール
５０：下方ブレード
５２：ネジ
６０：可動ブレード
７０：カッター部分
８０：駆動部
９０：バネ
【図１】
2010532220.tif 000003
【図２】
2010532220.tif 000004
【図３】
2010532220.tif 000005
【図３Ａ】
2010532220.tif 000006
【図４】
2010532220.tif 000007
【図５】
2010532220.tif 000008
【図６】
2010532220.tif 000009
【国際調査報告】
2010532220.tif 000010
2010532220.tif 000011
2010532220.tif 000012